【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
呼吸装置であって、
患者の人工空気路に器具を導入することができる器具導入区画を備え、
前記器具導入区画は、
開口を持ち、前記器具導入区画に前記器具を挿入するように構成された近位端部、
前記患者に取り付けられた人工空気路構造に取り外し可能に取り付けられるように構成された末端部、
前記器具を移動可能にする前記近位端部内の前記開口から前記末端部内の開口までの通路、
を含み、
バルブが前記器具導入区画内に配置され、該バルブは、前記通路が前記患者の前記人工空気路から少なくとも実質的に遮断される閉位置と、前記器具が前記器具導入区画を通して前記患者の前記人工空気路にまで移動できるようにする開位置とを持つ、
ことを特徴とする装置。
【請求項２】
前記器具は前記器具導入区画の前記通路を通して進ませることが可能な管状部分を持つ吸引カテーテルであり、前記器具導入区画の前記近位端部は前記吸引カテーテルに取り外し可能に取り付けられるように構成されたことを特徴とする請求項１に記載の呼吸装置。
【請求項３】
前記バルブから近位側において前記器具導入区画内に配置されたワイパーシールを更に含むことを特徴とする請求項１に記載の呼吸装置。
【請求項４】
前記バルブから近位側において前記器具導入区画内に配置されたクリーニング区画と、  前記クリーニング区画に対して連通状態にあり、流体を前記クリーニング区画に移送させるように構成された灌注口と、
を更に含むことを特徴とする請求項１に記載の呼吸装置。
【請求項５】
前記バルブは、貫通孔を持つ単一フラップであり、前記器具導入区画を通して前記器具を挿入することにより開くことができることを特徴とする請求項１に記載の呼吸装置。
【請求項６】
前記器具導入区画の前記末端部は、摩擦嵌合構造、ねじ係合、前記人工空気路構造に前記器具導入区画を取り外し可能に取り付けるための前記末端部に形成された少なくとも１つの突出係合部のうちのいずれかにより前記人工空気路構造に取り外し可能に取り付けられていることを特徴とする請求項１に記載の呼吸装置。
【請求項７】
前記器具導入区画の前記遠位端部と係合可能であり、前記人工空気路構造に前記器具導入区画を取り外し可能に取り付けるようになっているクランプ係合リングを備えていることを特徴とする請求項１に記載の呼吸装置。
【請求項８】
前記器具導入区画の前記近位端部と係合するように構成され、前記器具導入区画の前記近位端部内の前記開口に前記器具を挿入させることができる開口を持つキャップと、
プラグ連結紐を持ち、前記キャップ内の前記開口を閉じるために前記キャップ内の前記開口に挿入可能なプラグと、
を更に含むことを特徴とする請求項１に記載の呼吸装置。
【請求項９】
前記人工空気路構造のポートと係合するように構成され、前記人工空気路構造への前記器具の挿入を可能にする開口を持つキャップと、
プラグ連結紐を持ち、前記キャップ内の前記開口を閉じるために前記キャップ内の前記開口に挿入可能なプラグと、
を更に含むことを特徴とする請求項１に記載の呼吸装置。
【請求項１０】
呼吸装置であって、
患者の人工空気路に取り付けられた人工空気路構造と、
開口を持つ近位端部、
前記人工空気路構造に取り外し可能に取り付けられるように構成された末端部、
前記近位端部の前記開口から前記末端部の開口までの通路、
から成り、前記患者の前記人工空気路への器具の導入が可能な器具導入区画と、
前記器具導入区画内に配置され、閉位置において前記通路を少なくとも実質的に遮断することができ、開位置において前記器具導入区画を通して前記器具を移動させることができるバルブと、
前記バルブの閉位置において前記バルブから近位側において前記器具導入区画内に設置されるクリーニング区画と、
前記クリーニング区画に対して連通状態にあり、前記クリーニング区画を通して流体を移送することを可能にするように構成された灌注口と、
前記器具導入区画の前記近位端部と係合可能であり、前記近位端部の前記開口を閉じることにより周囲から前記通路を遮断することができるプラグと、
から成ることを特徴とする装置。
【請求項１１】
前記バルブから近位側において前記器具導入区画に配置されたワイパーシールを更に含むことを特徴とする請求項１０に記載の呼吸装置。
【請求項１２】
前記バルブは、貫通孔を持つ、単一フラップであり、該単一フラップは、前記器具導入区画を通して前記器具を挿入することにより開状態にさせられることを特徴とする請求項１０に記載の呼吸装置。
【請求項１３】
前記器具導入区画の前記末端部は、摩擦嵌合構造、ねじ係合、前記人工空気路構造に前記器具導入区画を取り外し可能に取り付けるための前記末端部に形成された少なくとも１つの突出係合部のうちのいずれかにより前記人工空気路構造に取り外し可能に取り付けられていることを特徴とする請求項１０に記載の呼吸装置。
【請求項１４】
前記器具導入区画の前記近位端部と係合するように構成され、前記器具導入区画の前記近位端部内の前記開口への前記器具の挿入を可能にする開口を持つキャップを更に含むことを特徴とする請求項１０に記載の呼吸装置。
【請求項１５】
前記器具は前記器具導入区画の前記通路を通して進ませることが可能な管状部分を持つ吸引カテーテルであり、前記器具導入区画の前記近位端部は、前記吸引カテーテルに取り外し可能に取り付けられるように構成されていることを特徴とする請求項１０に記載の呼吸装置。
【請求項１６】
前記器具導入区画の前記近位端部と係合するように構成され、前記器具導入区画の前記近位端部内の前記開口に前記器具を挿入させることができる開口を持つキャップと、
プラグ連結紐を持ち、前記キャップ内の前記開口を閉じるために前記キャップ内の前記開口に挿入可能で、同時に前記近位端部内の前記開口と前記キャップ内の前記開口を閉じることにより周囲から前記器具導入区画の前記通路を遮断することができるプラグと、
を更に含むことを特徴とする請求項１０に記載の呼吸装置。
【請求項１７】
呼吸装置であって、
前記器具導入区画に前記器具を挿入させるように構成された開口を持つ近位端部、
前記患者に取り付けられた人工空気路構造に取り外し可能に取り付けられるように構成され、摩擦嵌合構造により取り外し可能に取り付けられた末端部、
前記器具が移動可能なような前記近位端部の前記開口から前記末端部の開口までの通路、
から成り、患者の人工空気路への器具の導入が可能な器具導入区画と、
前記器具導入区画内に配置され、前記通路が前記患者の前記人工空気路から少なくとも実質的に遮断される閉位置、及び、前記器具を前記器具導入区画を通して前記患者の前記人工空気路に移動させる開位置を持つ単一プラップバルブと、
前記バルブが閉位置の時、前記バルブから近位側にある前記器具導入区画内に設置されるクリーニング区画と、
前記クリーニング区画に対して連通状態にあり、前記クリーニング区画を通して流体を移送することを可能にするように構成された灌注口と、
前記器具導入区画内で、前記クリーニング区画から近位側に配置されたワイパーシールと、
前記器具導入区画の前記近位端部と係合するように構成され、前記器具導入区画の前記近位端部内の前記開口への前記器具の挿入を可能にするような開口を持つキャップと、
連結紐により前記キャップと結合され、前記キャップの前記開口を閉じるために前記キャップ内の前記開口に挿入可能なプラグと、
からなること特徴とする装置。